(57)【特許請求の範囲】
【請求項１】
用紙を給紙する給紙部と、給紙された用紙を印刷する印刷部と、胴入れ、胴抜きが可能であって、該印刷部により印刷された用紙にニスを塗布するニス塗布部と、圧胴に対して接離可能であって、該ニス塗布部によりニス塗布された用紙に該圧胴上で転写フィルムを押付けながら紫外線照射することにより表面処理を行う表面処理装置とを有した印刷機であって、該転写フィルムの速度と該圧胴の速度とを同期させて該表面処理装置を該圧胴に接触させるものにおいて、
該表面処理装置が該圧胴に接触するまでは該ニス塗布部を胴入れさせないことを特徴とする印刷機。
【発明の詳細な説明】
【技術分野】
【０００１】
本発明は、印刷用紙に転写フィルムを押付けることにより、エンボス模様やホログラム模様等を転写して印刷面の付加価値を高めるための、印刷機の表面処理装置に関する。
【背景技術】
【０００２】
印刷済みのシート表面に転写フィルムを押付け、ホログラム模様等をインラインで転写形成できるものとして、例えば特許文献１に示すような表面処理装置付き印刷機が開示されている。
【先行技術文献】
【特許文献】
【０００３】
【特許文献１】特開２００９−７２９３２号公報
【発明の概要】
【発明が解決しようとする課題】
【０００４】
この種の印刷機は、圧胴の回転速度と、圧胴に押付けられる転写用フィルムとの速度が同期した状態で表面処理加工される必要がある。よって、圧胴に接離可能なフィルム押圧部は、転写用フィルムの速度が圧胴の速度に同期するか、その直前で下降し、圧胴に転写用フィルムを押付けるよう構成されている。そして、転写用フィルムを効率よく使用するために、速度が同期するかその直前に枚葉紙が給紙部から機内へ給紙されるようになっている。
この場合、最初に給紙された枚葉紙が、フィルム押圧部の下降前に圧胴を通過してしまう可能性がある。転写用フィルムが押付けられず、紫外線照射部の紫外線照射がされなかった枚葉紙は、ワニス塗布部により塗布された未乾燥のワニスがついたまま排紙されることとなり、排紙部、積載された印刷済みの枚葉紙が汚れる等の可能性があった。給紙部から表面処理装置までの印刷部のユニット数が少ない機械ほど、前述の可能性が増すという問題があった。
【０００５】
本発明はこのような問題を解決するためになされたもので、その目的は、品質の安定した印刷物を得ることのできる表面処理装置付の印刷機を提供することである。
【課題を解決するための手段】
【０００６】
本発明は、用紙Ｐを給紙する給紙部Ａと、給紙された用紙Ｐを印刷する印刷部Ｂと、胴入れ、胴抜きが可能であって、該印刷部Ｂにより印刷された用紙Ｐにニスを塗布するニス塗布部Ｃと、圧胴１６に対して接離可能であって、該ニス塗布部Ｃによりニス塗布された用紙Ｐに該圧胴１６上で転写フィルム１４を押付けながら紫外線照射することにより表面処理を行う表面処理装置Ｄとを有した印刷機であって、該転写フィルム１４の速度と該圧胴１６の速度とを同期させて該表面処理装置Ｄを該圧胴１６に接触させるものにおいて、該表面処理装置Ｄが該圧胴１６に接触するまでは該ニス塗布部Ｃを胴入れさせないことを特徴とする。
【発明の効果】
【０００７】
本発明の印刷機によれば、表面処理装置が圧胴に接触するまではニス塗布部を胴入れさせないので、ニスが未乾燥のまま枚葉紙Ｐが排紙されるといったことがなく、品質の安定した、作業効率の良い表面処理装置付きの印刷機を得ることができる。
【図面の簡単な説明】
【０００８】
【図１】本発明に係る表面処理装置を備えた印刷機の一例を示す概略構成図である。
【図２】本発明に係る印刷機の表面処理装置の制御部の構成を示す概略ブロック図である。
【発明を実施するための形態】
【０００９】
次に本発明を実施するための形態について図面を参照して説明する。
【００１０】
図１は表面処理装置を備えた印刷機の一例である。図１の概略側面図に示す通り、本実施例に係る印刷機は枚葉オフセット印刷機である。この印刷機は、紙積み台からフィーダ装置や用紙分離装置等により一枚ずつ印刷用紙としての枚葉紙Ｐを送り出すための給紙部Ａと、この給紙部Ａからの枚葉紙Ｐに印刷を行うための印刷部Ｂと、印刷された枚葉紙Ｐにニスコーティングをするニス塗布部Ｃと、枚葉紙Ｐ上のニス塗布面に転写フィルムを押付けて紫外線照射し、ニス塗布面に表面処理を施す表面処理装置Ｄと、枚葉紙Ｐを排紙するための排紙部Ｅとを備えている。印刷機は本機モータＭ１(図２)により駆動される。
【００１１】
ここで印刷部Ｂは、１色の印刷が行えるように１台の印刷ユニットを備えた印刷部Ｂとしているが、１色以外の色、つまり複数の印刷が行える印刷部であってもよい。又、前記排紙部Ｅは、グリッパを備えるチェーン搬送装置にて構成しているが、チェーン搬送装置に限らなくてもよい。又、印刷機を構成する各部の具体的な構成は図に示されるものに限定されるものではない。
【００１２】
前記印刷部Ｂは、印刷版が巻回される版胴１とゴム胴２とインキローラ群３、そして圧胴４と渡し胴５とを備えている。図示していないが、前記胴４、５のそれぞれには、送り出されてきた枚葉紙Ｐを爪台と爪とで把持するグリッパを円周方向の２箇所（１箇所又は３箇所以上でもよい）に備えている。符号６は給紙胴であり、フィーダーボード７上を搬送される枚葉紙Ｐを図示しないスイングアームから受け取り、圧胴４に渡す役割を果たす。給紙胴６、スイングアームにも前記の爪台と爪が設けられている。
【００１３】
ニス塗布部Ｃはニス版胴８とニスゴム胴９、ニス圧胴１０とを有し、搬送される枚葉紙Ｐに有色あるいは無色の透明な紫外線硬化型樹脂ニスを塗布する。ニス版胴８には図示しないチャンバーからニスが供給され、ニスゴム胴９へニスを供給する。ニス版胴８及びニスゴム胴９は図示しないニス胴支持部材に支持されて、ニス胴支持部材駆動モータＭ２（図２）により、ニス圧胴１０に対して接離可能に構成されており、ニス圧胴１０への接近時に枚葉紙Ｐへニスを押圧転写するようになっている。このニス圧胴１０への接触時を胴入れ、ニス圧胴１０からの離脱時を胴抜きという。
【００１４】
表面処理装置Ｄは、転写フィルム１４が巻き付けられるとともに送り出し可能な供給ロール１１と、この供給ロール１１から送り出された転写フィルム１４を圧胴１６上の枚葉紙Ｐに押付ける押圧ローラ１７、１８と、押付けられた転写フィルム１４を巻き取る、巻き取りロール１２と、供給ロール１１と巻き取りロール１２との間に配置されたフィルム案内用ローラ群１３と、押圧ローラ１７、１８間の転写フィルム１４を照射して、転写フィルム１４越しに枚葉紙Ｐ上のニスを乾燥する紫外線照射部１５とを備えている。転写フィルム１４はフィルム駆動モータＭ３（図２）により駆動される。
押圧ローラ１７,１８と紫外線照射部１５とは図示しないフィルム支持部材に支持されて、フィルム支持部材駆動モータＭ４（図２）により上昇下降可能になっており、図１の二点鎖線で示すとおり、圧胴１６に対して接離可能となっている。
尚、転写フィルム１４は透明のフィルムにエンボス模様やホログラム模様等が凹凸として形成されており、この凹凸をニスが塗布された枚葉紙Ｐ上に転写するタイプと、金箔等の転移層が施された透明のフィルムをニスが塗布された枚葉紙Ｐに押付けることにより、この転移層を枚葉紙Ｐ上に転移させるタイプとがある。
【００１５】
給紙部Ａから搬送される枚葉紙Ｐは印刷部Ｂで印刷され、ニス塗布部Ｃでニスが塗布される。表面処理装置Ｄにて転写フィルム１４が枚葉紙Ｐに押付けられ、紫外線照射部１５により枚葉紙Ｐのニス塗布面は硬化されて転写フィルム１４と一体化し、搬送方向終端まで移動してきた転写フィルム１４と枚葉紙Ｐとが互いに離間する側に移動することによって両者が剥離され、転写フィルム１４は巻取りロール１２へ巻き取られ、硬化した紫外線硬化型樹脂ニスが一体化された枚葉紙Ｐは排紙部Ｅへ受け渡されることになる。転写フィルム１４を押し付けることによって、枚葉紙Ｐのニス塗布面を平滑にすることができ、光沢度をアップさせることができる利点がある。
【００１６】
図２は本発明に係る印刷機の表面処理装置の制御部の構成を示す概略ブロック図であり、印刷機本体を駆動する本機モータＭ１、前述のニス胴支持部材駆動モータＭ２、フィルム駆動モータＭ３、フィルム支持部材駆動モータＭ４、給紙胴エンコーダ６ａ、給紙部Ａ、制御部３２により構成されている。制御部３２は演算処理等を行うマイクロプロセッサ３２ａ(シーケンサでもよい)、データ及び所定のプログラム（演算式あるいはテーブル等）を記憶するＲＯＭ３２ｂ、機械回転数等に関する種々の情報を記憶可能なＲＡＭ３２ｃ、マイクロプロセッサ３２ａと制御部３２外部に設けられた装置との間における各種信号のやりとりを仲介するインターフェイス３２ｄ等を用いて構成されている。
【００１７】
本発明の作用について説明する。本機モータＭ１により本機が駆動する。表面処理装置についてはフィルム駆動モータＭ３が駆動することにより、転写フィルム１４が供給ロール１１から繰り出されて巻き取りロール１２に巻き取られる。
制御部３２は本機の駆動速度と転写フィルム１４の速度とを給紙胴エンコーダ６ａとフィルム駆動モータＭ３により判断し、速度が同期したらフィルム支持部材駆動モータＭ４を駆動させてフィルム支持部材を下降させ、紫外線照射部１５から紫外線を照射させ、転写フィルム１４を介して押圧ローラ１７,１８を圧胴１６に押付ける。
転写フィルム１４を効率的に使用するために、フィルム支持部材の下降が終わるかその直前に、制御部３２は給紙部Ａから枚葉紙Ｐを給紙させる。
【００１８】
この時、フィルム支持部材の下降が終わるまでは、ニス胴支持部材を下降させないよう、制御部３２はニス胴支持部材駆動モータＭ２を制御する。このように制御することにより、ニスの塗布された枚葉紙Ｐが表面処理装置Ｄの表面処理を受けることなく排紙されるということがなくなる。よって、未乾燥のニスが付着した枚葉紙Ｐが排紙部Ｅや積層された印刷済みの枚葉紙Ｐを汚すといったトラブルがなく、品質の安定した、作業効率の良い表面処理装置付きの印刷機を得ることができる。
【００１９】
尚、本発明は、前記実施形態に限定されるものではなく、本発明の要旨を逸脱しない範囲で種々の変更が可能である。前述の実施例では、フィルム支持部材の下降が終わるかその直前に、枚葉紙Ｐを給紙させていたが、本機の駆動速度と転写フィルム１４の速度との同期が完了するまでは給紙させないように制御することもできる。このようにすることにより、損紙の発生を抑えることができる。
また、前述の実施形態では、枚葉オフセット印刷機であったが、これに限定されず、インクジェット式印刷機やフレキソ印刷機のようなものであってもよい。
【産業上の利用可能性】
【００２０】
本発明に係る印刷機の表面処理装置は、印刷面の付加価値を高めるための表面処理装置を備えた印刷機において極めて有用である。
【符号の説明】
【００２１】
８  ニス版胴                            ９  ニスゴム胴
１０  ニス圧胴                          １６  圧胴
１７  押圧ローラ                        １８  押圧ローラ
３２  制御部                              Ａ  給紙部
Ｄ  表面処理装置                      Ｍ１  本機モータ  
Ｍ２  ニス胴支持部材駆動モータ          Ｍ３  フィルム駆動モータ
Ｍ４  フィルム支持部材駆動モータ
【図１】
0005467886.tif 000002
【図２】
0005467886.tif 000003